(57)【要約】【課題】従来のカバレッジに悪影響を与えることなくカバレッジを拡大することができる無線基地局のアンテナ装置を提供する。【解決手段】無線基地局のアンテナ装置は、アンテナ素子から放出される電波を反射するか、アンテナ素子に向けて電波を反射する第１の反射板と、アンテナ素子から放出される電波と第１の反射板で反射される電波に起因するサイドローブを反射するか、アンテナ素子および第１の反射板に向けて電波を反射する第２の反射板とを備える。【選択図】図１
2014007537.tif 000002
【特許請求の範囲】
【請求項１】
電気信号に応じて電波を放出するアンテナ素子と、
前記アンテナ素子から放出される電波を反射する第１の反射板と、
前記アンテナ素子から放出される電波と前記第１の反射板で反射される電波に起因するサイドローブを反射する第２の反射板とを備える無線基地局のアンテナ装置。
【請求項２】
前記アンテナ素子から放出される電波と前記第１の反射板で反射される電波に起因するメインローブは、斜め下向きであり、
前記第２の反射板は、斜め上に向けて前記サイドローブを反射することを特徴とする請求項１に記載の無線基地局のアンテナ装置。
【請求項３】
複数の前記第２の反射板を備えることを特徴とする請求項１または請求項２に記載の無線基地局のアンテナ装置。
【請求項４】
複数の前記第２の反射板を備え、
複数の前記第２の反射板のいずれかは、斜め上に向けて前記サイドローブを反射し、複数の前記第２の反射板の他のいずれかは、斜め下に向けて前記サイドローブを反射することを特徴とする請求項２に記載の無線基地局のアンテナ装置。
【請求項５】
受信した電波に応じた電気信号を生成するアンテナ素子と、
前記アンテナ素子に向けて電波を反射する第１の反射板と、
前記アンテナ素子および前記第１の反射板に向けて電波を反射する第２の反射板とを備える無線基地局のアンテナ装置。
【請求項６】
前記アンテナ素子および前記第１の反射板は、斜め下方向から到来する電波に対して前記アンテナ素子が大きい感度を有するように調整され、
前記第２の反射板は、斜め上方向から到来する電波を前記アンテナ素子および前記第１の反射板に向けて反射することを特徴とする請求項５に記載の無線基地局のアンテナ装置。
【請求項７】
複数の前記第２の反射板を備えることを特徴とする請求項５または請求項６に記載の無線基地局のアンテナ装置。
【請求項８】
複数の前記第２の反射板を備え、
複数の前記第２の反射板のいずれかは、斜め上方向から到来する電波を前記アンテナ素子および前記第１の反射板に向けて反射し、複数の前記第２の反射板の他のいずれかは、斜め下方向から到来する電波を前記アンテナ素子および前記第１の反射板に向けて反射することを特徴とする請求項６に記載の無線基地局のアンテナ装置。
【請求項９】
第２の反射板の前記アンテナ素子側の面は、凸状に湾曲していることを特徴とする請求項１から請求項８のいずれか１項に記載の無線基地局のアンテナ装置。
【発明の詳細な説明】
【技術分野】
【０００１】
本発明は、無線基地局のアンテナ装置に関する。
【背景技術】
【０００２】
従来知られている携帯電話の無線基地局のアンテナ装置は、アンテナ素子と反射板を備える（例えば特許文献１）。アンテナ素子が送信アンテナ素子であれば、反射板は送信アンテナ素子で生成されたバックローブを反射する。アンテナ素子が受信アンテナ素子であれば、反射板は受信アンテナ素子に向けて電波を反射する。
【先行技術文献】
【特許文献】
【０００３】
【特許文献１】特開２００３−８３３２号公報
【発明の概要】
【発明が解決しようとする課題】
【０００４】
しかし、アンテナ素子には指向性があるため、無線基地局のカバレッジに制約を与える。アンテナ素子が送信アンテナ素子であれば、ヌルビームの方向にあるユーザ端末（移動局）での受信レベルは低い。アンテナ素子が受信アンテナ素子であれば、受信アンテナ素子の感度が低い方向にあるユーザ端末からの電波の無線基地局での受信レベルは低い。
【０００５】
そこで、本発明は、従来のカバレッジに悪影響を与えることなくカバレッジを拡大することができる無線基地局のアンテナ装置を提供する。
【課題を解決するための手段】
【０００６】
本発明に係る第１の態様の無線基地局のアンテナ装置は、電気信号に応じて電波を放出するアンテナ素子と、前記アンテナ素子から放出される電波を反射する第１の反射板と、前記アンテナ素子から放出される電波と前記第１の反射板で反射される電波に起因するサイドローブを反射する第２の反射板とを備える。第２の反射板がサイドローブを反射するので、アンテナ素子から放出される電波と第１の反射板で反射される電波に起因するメインローブが届かないユーザ端末は反射されたサイドローブの電波を受信することができ、このため無線基地局のカバレッジが拡大される。第２の反射板はサイドローブを反射するので、アンテナ素子から放出される電波と第１の反射板で反射される電波に起因するメインローブで形成されるカバレッジには影響を与えない。
【０００７】
前記アンテナ素子から放出される電波と前記第１の反射板で反射される電波に起因するメインローブは、斜め下向きであり、前記第２の反射板は、斜め上に向けて前記サイドローブを反射すると好ましい。通常、無線基地局のアンテナ素子は、他の無線基地局のセルにあるユーザ端末への干渉を抑えるために、メインローブが斜め下向きになるように設計されている。このため、無線基地局のセルにある高い建物の上部にあるユーザ端末には、メインローブが届かないことがある。第２の反射板が斜め上に向けてサイドローブを反射することによって、高い建物の上部にあるユーザ端末は反射されたサイドローブの電波を受信することができる。
【０００８】
第１の態様のアンテナ装置は、複数の前記第２の反射板を備えてよい。複数の第２の反射板があることにより、さらに無線基地局のカバレッジを拡大することができる。
【０００９】
前記アンテナ素子から放出される電波と前記第１の反射板で反射される電波に起因するメインローブは、斜め下向きであり、第１の態様のアンテナ装置は、複数の前記第２の反射板を備え、複数の前記第２の反射板のいずれかは、斜め上に向けて前記サイドローブを反射し、複数の前記第２の反射板の他のいずれかは、斜め下に向けて前記サイドローブを反射してもよい。いずれかの第２の反射板が斜め上に向けてサイドローブを反射することにより、高い建物の上部にあるユーザ端末は反射されたサイドローブの電波を受信することができ、他のいずれかの第２の反射板が斜め下に向けてサイドローブを反射することにより、無線基地局から下りリンクの電波が到達するセルの範囲を拡張することができる。
【００１０】
本発明に係る第２の態様の無線基地局のアンテナ装置は、受信した電波に応じた電気信号を生成するアンテナ素子と、前記アンテナ素子に向けて電波を反射する第１の反射板と、前記アンテナ素子および前記第１の反射板に向けて電波を反射する第２の反射板とを備える。第２の反射板がアンテナ素子および第１の反射板に向けて電波を反射するので、第２の反射板がない場合に比べて、無線基地局のカバレッジを拡大することができる。第２の反射板は、これがない場合にアンテナ素子で受信できる電波には影響を与えないので、従来のカバレッジには影響を与えない。
【００１１】
前記アンテナ素子および前記第１の反射板は、斜め下方向から到来する電波に対して前記アンテナ素子が大きい感度を有するように調整され、前記第２の反射板は、斜め上方向から到来する電波を前記アンテナ素子および前記第１の反射板に向けて反射すると好ましい。通常、無線基地局のアンテナ素子は、他の無線基地局のセルにあるユーザ端末から受信される干渉を抑えるために、受信感度の高い方向が斜め下向きになるように設計されている。このため、無線基地局のセルにある高い建物の上部にあるユーザ端末からの電波が無線基地局に届かないことがある。第２の反射板が斜め上方向から到来する電波をアンテナ素子および第１の反射板に向けて反射することによって、高い建物の上部にあるユーザ端末からの電波をアンテナ素子が受信することができる。
【００１２】
第２の態様のアンテナ装置も、複数の前記第２の反射板を備えてよい。複数の第２の反射板があることにより、さらに無線基地局のカバレッジを拡大することができる。
【００１３】
前記アンテナ素子および前記第１の反射板は、斜め下方向から到来する電波に対して前記アンテナ素子が大きい感度を有するように調整され、第２の態様のアンテナ装置は、複数の前記第２の反射板を備え、複数の前記第２の反射板のいずれかは、斜め上方向から到来する電波を前記アンテナ素子および前記第１の反射板に向けて反射し、複数の前記第２の反射板の他のいずれかは、斜め下方向から到来する電波を前記アンテナ素子および前記第１の反射板に向けて反射してもよい。いずれかの第２の反射板が斜め上方向から到来する電波をアンテナ素子および第１の反射板に向けて反射することによって、高い建物の上部にあるユーザ端末からの電波をアンテナ素子が受信することができ、他のいずれかの第２の反射板が斜め下方向から到来する電波をアンテナ素子および第１の反射板に向けて反射することによって、無線基地局へ上りリンクの電波を送信することができるセルの範囲を拡張することができる。
【００１４】
第２の反射板の前記アンテナ素子側の面は、凸状に湾曲していると好ましい。これにより、さらに無線基地局のカバレッジを拡大することができる。アンテナ素子が送信アンテナ素子であれば、第２のアンテナ素子の凸状に湾曲したアンテナ素子側の面によって、反射した電波は広い方向範囲に届けられる。アンテナ素子が受信アンテナ素子であれば、広い方向範囲から到来した電波が、アンテナ素子に向けて反射される。
【図面の簡単な説明】
【００１５】
【図１】本発明の第１の実施の形態に係る無線基地局のアンテナ装置を示す斜視図である。
【図２】第１の実施の形態に係る無線基地局のアンテナ装置の断面図である。
【図３】第１の実施の形態に係る無線基地局のアンテナ装置の使用状態を示す図である。
【図４】第１の実施の形態に係る無線基地局のアンテナ装置の他の使用状態を示す図である。
【図５】本発明の第２の実施の形態に係る無線基地局のアンテナ装置の使用状態を示す図である。
【図６】第２の実施の形態に係る無線基地局のアンテナ装置の他の使用状態を示す図である。
【図７】第２の実施の形態に係る無線基地局のアンテナ装置の他の使用状態を示す図である。
【図８】本発明の第３の実施の形態に係る無線基地局のアンテナ装置を示す斜視図である。
【図９】第３の実施の形態に係る無線基地局のアンテナ装置の断面図である。
【図１０】本発明の第４の実施の形態に係る無線基地局のアンテナ装置を示す斜視図である。
【図１１】第４の実施の形態に係る無線基地局のアンテナ装置の断面図である。
【図１２】本発明の第５の実施の形態に係る無線基地局のアンテナ装置を示す斜視図である。
【図１３】第５の実施の形態に係る無線基地局のアンテナ装置の断面図である。
【図１４】本発明の第６の実施の形態に係る無線基地局のアンテナ装置を示す斜視図である。
【図１５】第６の実施の形態に係る無線基地局のアンテナ装置の断面図である。
【発明を実施するための形態】
【００１６】
以下、添付の図面を参照しながら本発明に係る様々な実施の形態を説明する。以下の実施の形態のアンテナ装置は、携帯電話の無線基地局のアンテナ装置であるが、他の通信システム、例えば、Wi-Fi、WiMAXの無線基地局で利用されてもよい。
【００１７】
第１の実施の形態
【００１８】
図１および図２に示すように、本発明の第１の実施の形態に係る無線基地局のアンテナ装置１０は、レドーム１２、複数のアンテナ素子１６、第１の反射板１４、および第２の反射板１８を備える。アンテナ素子１６は、公知のアンテナ素子であり、電気信号に応じて電波を放出する送信アンテナ素子であってもよいし、受信した電波に応じた電気信号を生成する受信アンテナ素子であってもよいし、送信アンテナ素子の機能と受信アンテナ素子の機能を有する送受信アンテナ素子であってもよい。アンテナ素子１６の数は図示の実施の形態に限定されず、１でも２でもよいし、４以上であってもよい。
【００１９】
第１の反射板１４は、アンテナ素子１６から離れた位置に配置されている。アンテナ素子１６が送信アンテナ素子である場合、第１の反射板１４は、アンテナ素子１６から放出される電波のバックローブを前方に向けて反射する。アンテナ素子１６が受信アンテナ素子である場合、第１の反射板１４は、アンテナ素子１６に向けて電波を反射する。第１の反射板１４は、良好な電波の反射特性を有する材料から形成されている。この実施の形態において、第１の反射板１４は、概略的には矩形の平板であるが両端縁が屈曲した形状を有する。
【００２０】
レドーム１２は、第１の反射板１４およびアンテナ素子１６を保護するために、第１の反射板１４およびアンテナ素子１６を包囲する。レドーム１２は、例えば樹脂のような電波を透過させる材料から形成されている。
【００２１】
第２の反射板１８はレドーム１２の外部に配置されている。アンテナ素子１６が送信アンテナ素子である場合、第２の反射板１８は、アンテナ素子１６から放出される電波と第１の反射板１４で反射される電波に起因するサイドローブを反射する。アンテナ素子１６が受信アンテナ素子である場合、第２の反射板１８は、アンテナ素子１６および第１の反射板１４に向けて電波を反射する。第２の反射板１８は、良好な電波の反射特性を有する材料から形成されている。この実施の形態において、第２の反射板１８は平板である。鉛直軸に対して第２の反射板１８の角度は調整可能であり、また鉛直軸の周りに第２の反射板１８の角度は調整可能である。
【００２２】
図３および図４を参照して、アンテナ装置１０の使用の例を説明する。アンテナ素子１６が送信アンテナ素子であると想定する。図３および図４において、アンテナ素子１６により放出される電波と第１の反射板１４で反射される電波に起因するメインローブＭＬと、アンテナ素子１６により放出される電波と第１の反射板１４で反射される電波に起因するサイドローブＳＬが示されている。第２の反射板１８はサイドローブＳＬの１つを反射する。第２の反射板１８がサイドローブＳＬを反射するので、アンテナ素子１６から放出される電波と第１の反射板１４で反射される電波に起因するメインローブＭＬが届かないユーザ端末は第２の反射板１８で反射されたサイドローブＳＬの電波を受信することができ、この結果、無線基地局のカバレッジが拡大される。第２の反射板１８はサイドローブＳＬを反射するので、アンテナ素子１６から放出される電波と第１の反射板１４で反射される電波に起因するメインローブＭＬで形成されるカバレッジには影響を与えない。
【００２３】
図３において、アンテナ素子１６から放出される電波と第１の反射板１４で反射される電波に起因するメインローブＭＬは、斜め下向きである。通常、無線基地局のアンテナ素子１６は、他の無線基地局のセルにあるユーザ端末への干渉を抑えるために、メインローブＭＬが斜め下向きになるように設計されている。このため、無線基地局のセル２０にある高い建物３０の上部（例えば図３のフロア３１）にあるユーザ端末には、メインローブＭＬが届かないことがある。また、どのサイドローブもその位置には向けられずに、そこにあるユーザ端末には電波が届かないか、電波の受信レベルが微弱であることがある。
【００２４】
図３において、第２の反射板１８は、斜め上に向けてサイドローブＳＬを反射するように設置されている。第２の反射板１８が斜め上に向けてサイドローブを反射することによって、高い建物３０の上部（例えば図３のフロア３１）にあるユーザ端末は反射されたサイドローブＳＬの電波を受信することができる。したがって、例えば、無線基地局のセル内に高い建物が新たに建設された場合には、第２の反射板１８を設けることによって、第２の反射板１８がない場合の既存のセル２０に悪影響を与えずに、建物内のユーザ端末への通信サービスを提供することができるようになる。
【００２５】
図４において、第２の反射板１８は、斜め下に向けてサイドローブＳＬを反射するように設置されている。この場合には、高い建物にあるユーザ端末への通信サービスの拡大はあまり見込めない。しかし、第２の反射板１８がない場合の既存のセル２０に悪影響を与えずに、セル範囲を符号２１に示すように、拡大することができる。
【００２６】
アンテナ素子１６が受信アンテナ素子である場合にも、類似した効果が達成される。この場合、第２の反射板１８がアンテナ素子１６および第１の反射板１４に向けて電波を反射するので、第２の反射板１８がない場合に比べて、無線基地局のカバレッジを拡大することができる。第２の反射板１８は、これがない場合にアンテナ素子１６で受信できる電波には影響を与えないので、従来のカバレッジには影響を与えない。
【００２７】
アンテナ素子１６が受信アンテナ素子である場合、アンテナ素子１６および第１の反射板１４は、斜め下方向から到来する電波に対してアンテナ素子１６が大きい感度を有するように調整されている。通常、無線基地局のアンテナ素子１６は、他の無線基地局のセルにあるユーザ端末から受信される干渉を抑えるために、受信感度の高い方向が斜め下向きになるように設計されている。このため、無線基地局のセル２０にある高い建物３０の上部（例えば図３のフロア３１）にあるユーザ端末からの電波が無線基地局に届かないか、無線基地局での電波の受信レベルが微弱であることがある。
【００２８】
図３において、第２の反射板１８は、斜め上方向から到来する電波をアンテナ素子１６および第１の反射板１４に向けて反射する。第２の反射板１８が斜め上方向から到来する電波をアンテナ素子１６および第１の反射板１４に向けて反射することによって、高い建物の上部にあるユーザ端末からの電波をアンテナ素子１６が受信することができる。したがって、例えば、無線基地局のセル内に高い建物が新たに建設された場合には、第２の反射板１８を設けることによって、第２の反射板１８がない場合の既存のセル２０に悪影響を与えずに、建物内のユーザ端末への通信サービスを提供することができるようになる。
【００２９】
図４において、第２の反射板１８は、斜め下方向から到来する電波をアンテナ素子１６および第１の反射板１４に向けて反射するように設置されている。この場合には、高い建物にあるユーザ端末への通信サービスの拡大はあまり見込めない。しかし、第２の反射板１８がない場合の既存のセル２０に悪影響を与えずに、セル範囲を符号２１に示すように拡大することができる。
【００３０】
第２の実施の形態
図５に示すように、本発明の第２の実施の形態に係る無線基地局のアンテナ装置１００は、第１の実施の形態のアンテナ装置１０の構成に加えて、もう１つの第２の反射板１９を備える。すなわち、このアンテナ装置１００は、複数の第２の反射板１８，１９を備える。
【００３１】
第２の反射板１９はレドーム１２の外部に配置されている。アンテナ素子１６が送信アンテナ素子である場合、第２の反射板１９は、アンテナ素子１６から放出される電波と第１の反射板１４で反射される電波に起因するサイドローブＳＬを反射する。アンテナ素子１６が受信アンテナ素子である場合、第２の反射板１９は、アンテナ素子１６および第１の反射板１４に向けて電波を反射する。第２の反射板１９は、良好な電波の反射特性を有する材料から形成されている。この実施の形態において、第２の反射板１９は平板である。鉛直軸に対して第２の反射板１９の角度は調整可能であり、また鉛直軸の周りに第２の反射板１９の角度は調整可能である。
【００３２】
複数の第２の反射板１８，１９を設けることにより、さらに無線基地局のカバレッジを拡大することができる。図５、図６および図７を参照して、アンテナ装置１００の使用の例を説明する。第１の実施の形態と共通する構成要素を示すために、図５、図６および図７では同じ参照符号が用いられている。
【００３３】
アンテナ素子１６が送信アンテナ素子であると想定する。第２の反射板１８はサイドローブＳＬの１つを反射する。第２の反射板１９はサイドローブＳＬの他の１つを反射する。第２の反射板１８，１９がサイドローブＳＬを反射するので、アンテナ素子１６から放出される電波と第１の反射板１４で反射される電波に起因するメインローブＭＬが届かないユーザ端末は第２の反射板１８，１９で反射されたサイドローブＳＬの電波を受信することができ、この結果、無線基地局のカバレッジが拡大される。第２の反射板１８，１９はサイドローブＳＬを反射するので、アンテナ素子１６から放出される電波と第１の反射板１４で反射される電波に起因するメインローブＭＬで形成されるカバレッジには影響を与えない。
【００３４】
図５において、アンテナ素子１６から放出される電波と第１の反射板１４で反射される電波に起因するメインローブＭＬは、斜め下向きである。通常、無線基地局のアンテナ素子１６は、他の無線基地局のセルにあるユーザ端末への干渉を抑えるために、メインローブＭＬが斜め下向きになるように設計されている。このため、無線基地局のセル２０にある高い建物３０の上部（例えば図５のフロア３１，３２）にあるユーザ端末には、メインローブＭＬが届かないことがある。また、どのサイドローブもその位置には向けられずに、そこにあるユーザ端末には電波が届かないか、電波の受信レベルが微弱であることがある。
【００３５】
図５において、第２の反射板１８は、斜め上に向けてサイドローブＳＬを反射するように設置されており、第２の反射板１９も斜め上に向けてサイドローブＳＬを反射するように設置されている。第２の反射板１８が斜め上に向けてサイドローブを反射することによって、高い建物３０の上部（例えば図５のフロア３１）にあるユーザ端末は反射されたサイドローブＳＬの電波を受信することができる。第２の反射板１９が斜め上に向けてサイドローブを反射することによって、高い建物３０の上部（例えば図５のフロア３２）にあるユーザ端末は反射されたサイドローブＳＬの電波を受信することができる。このように、複数の第２の反射板１８，１９は、別個の場所に電波を到達させるように設置されている。例えば、無線基地局のセル内に高い建物が新たに建設された場合には、第２の反射板１８，１９を設けることによって、第２の反射板１８，１９がない場合の既存のセル２０に悪影響を与えずに、建物内のユーザ端末への通信サービスを提供することができるようになる。特に、第２の反射板１８，１９が別個の位置に向けて電波を届けるため、無線基地局のカバレッジを顕著に拡大することができる。
【００３６】
図６において、第２の反射板１８，１９は、斜め下に向けてサイドローブＳＬを反射するように設置されている。この場合には、高い建物にあるユーザ端末への通信サービスの拡大はあまり見込めない。しかし、第２の反射板１８，１９がない場合の既存のセル２０に悪影響を与えずに、セル範囲を符号２１及び符号２２に示すように拡大することができる。特に、第２の反射板１８，１９が別個の位置に向けて電波を届けるため、無線基地局のカバレッジを顕著に拡大することができる。
【００３７】
図７において、一方の第２の反射板１９は、斜め上に向けてサイドローブＳＬを反射するように設置されており、他方の第２の反射板１８は斜め上に向けてサイドローブＳＬを反射するように設置されている。第２の反射板１９が斜め上に向けてサイドローブを反射することによって、高い建物３０の上部（例えば図７のフロア３１）にあるユーザ端末は反射されたサイドローブＳＬの電波を受信することができる。また、他方の第２の反射板１８が斜め下に向けてサイドローブＳＬを反射することにより、既存のセル２０に悪影響を与えずに、符号２１に示すように、無線基地局から下りリンクの電波が到達するセルの範囲を拡張することができる。
【００３８】
アンテナ素子１６が受信アンテナ素子である場合にも、類似した効果が達成される。この場合、第２の反射板１８，１９がアンテナ素子１６および第１の反射板１４に向けて電波を反射するので、第２の反射板１８，１９がない場合に比べて、無線基地局のカバレッジを拡大することができる。第２の反射板１８，１９は、これがない場合にアンテナ素子１６で受信できる電波には影響を与えないので、従来のカバレッジには影響を与えない。
【００３９】
アンテナ素子１６が受信アンテナ素子である場合、アンテナ素子１６および第１の反射板１４は、斜め下方向から到来する電波に対してアンテナ素子１６が大きい感度を有するように調整されている。通常、無線基地局のアンテナ素子１６は、他の無線基地局のセルにあるユーザ端末から受信される干渉を抑えるために、受信感度の高い方向が斜め下向きになるように設計されている。このため、無線基地局のセル２０にある高い建物３０の上部（例えば図５のフロア３１，３２）にあるユーザ端末からの電波が無線基地局に届かないか、無線基地局での電波の受信レベルが微弱であることがある。
【００４０】
図５において、第２の反射板１８は、斜め上方向（例えば建物３０のフロア３１）から到来する電波をアンテナ素子１６および第１の反射板１４に向けて反射する。第２の反射板１９も、斜め上方向（例えば建物３０のフロア３２）から到来する電波をアンテナ素子１６および第１の反射板１４に向けて反射する。第２の反射板１８，１９が斜め上方向から到来する電波をアンテナ素子１６および第１の反射板１４に向けて反射することによって、高い建物の上部にあるユーザ端末からの電波をアンテナ素子１６が受信することができる。したがって、例えば、無線基地局のセル内に高い建物が新たに建設された場合には、第２の反射板１８，１９を設けることによって、第２の反射板１８，１９がない場合の既存のセル２０に悪影響を与えずに、建物内のユーザ端末への通信サービスを提供することができるようになる。特に、第２の反射板１８，１９が別個の位置からの電波をアンテナ素子１６および第１の反射板１４に届けるため、無線基地局のカバレッジを顕著に拡大することができる。
【００４１】
図６において、第２の反射板１８，１９は、斜め下方向から到来する電波をアンテナ素子１６および第１の反射板１４に向けて反射するように設置されている。この場合には、高い建物にあるユーザ端末への通信サービスの拡大はあまり見込めない。しかし、第２の反射板１８，１９がない場合の既存のセル２０に悪影響を与えずに、セル範囲を符号２１及び符号２２に示すように拡大することができる。特に、第２の反射板１８，１９が別個の位置からの電波をアンテナ素子１６および第１の反射板１４に届けるため、無線基地局のカバレッジを顕著に拡大することができる。
【００４２】
図７において、一方の第２の反射板１９は、斜め上方向から到来する電波をアンテナ素子１６および第１の反射板１４に向けて反射するように設置されており、他方の第２の反射板１９は、斜め下方向から到来する電波をアンテナ素子１６および第１の反射板１８に向けて反射するように設置されている。第２の反射板１９が斜め上方向（例えば建物３０のフロア３１）から到来する電波をアンテナ素子１５および第１の反射板１４に向けて反射することによって、高い建物の上部にあるユーザ端末からの電波をアンテナ素子が受信することができる。他方の第２の反射板１８が斜め下方向から到来する電波をアンテナ素子１６および第１の反射板１４に向けて反射することによって、既存のセル２０に悪影響を与えずに、符号２１に示すように、無線基地局へ上りリンクの電波を送信することができるセルの範囲を拡張することができる。
【００４３】
図５、図６および図７では、二つの第２の反射板１８，１９が示されているが、三つ以上の第２の反射板が設けられてもよい。また、高い位置にあるユーザ端末に適応する複数の第２の反射板と、セル範囲を拡張するための複数の第２の反射板が設けられてもよい。
【００４４】
第３の実施の形態
第１の実施の形態および第２の実施の形態において、第２の反射板１８，１９は平板であるが、アンテナ素子１６側の面が凸状に湾曲した第２の反射板を使用してもよい。第３の実施の形態に係るアンテナ装置は、このような第２の反射板を備える。
【００４５】
図８および図９に示すように、第３の実施の形態に係るアンテナ装置１１０は、平板である第２の反射板１８の代わりに湾曲板である第２の反射板１１８を備える。第１の実施の形態と共通する構成要素を示すために、図８および図９では同じ参照符号が用いられており、これらについては詳細には説明しない。第２の反射板１１８は、第１の実施の形態の第２の反射板１８と同様の用途に使用される。
【００４６】
第２の反射板１１８は、良好な電波の反射特性を有する材料から形成されている。第２の反射板１１８のアンテナ素子１６側の面は、凸状に湾曲している。したがって、さらに無線基地局のカバレッジを拡大することができる。具体的には、アンテナ素子１６が送信アンテナ素子１６であれば、第２のアンテナ素子１６の凸状に湾曲したアンテナ素子１６側の面によって、反射した電波は広い方向範囲に届けられる。図８は、第２の反射板１１８で反射した電波が広い方向範囲に進む様子を示す。アンテナ素子１６が受信アンテナ素子１６であれば、広い方向範囲から到来した電波が、アンテナ素子１６に向けて反射される。
【００４７】
第２の実施の形態と第３の実施の形態の組合せとして、アンテナ素子１６側の面が凸状に湾曲した複数の第２の反射板を設けてもよい。
【００４８】
第４の実施の形態
第４の実施の形態は、第１の反射板の変形に関する。図１０および図１１に示すように、第４の実施の形態に係る無線基地局のアンテナ装置１２０は、第１の実施の形態の第１の反射板１４の代わりに、第１の反射板１２４を備える。第１の実施の形態と共通する構成要素を示すために、図１０および図１１では同じ参照符号が用いられており、これらについては詳細には説明しない。第１の反射板１２４は、第１の実施の形態の第１の反射板１４と同様の用途に使用される。第１の反射板１２４は、良好な電波の反射特性を有する材料から形成されている。第１の反射板１２４は、矩形であってアンテナ素子１６の延びる方向と同じ方向に延びる二つの平板部１２４Ａ，１２４Ｂを有する。平板部１２４Ｂの一端は平板部１２４Ａの一端に連結されており、平板部１２４Ａ，１２４Ｂは互いに垂直である。このような第１の反射板１２４は、第２の実施の形態および第３の実施の形態で使用してもよい。
【００４９】
第５の実施の形態
第５の実施の形態は、第１の反射板の変形に関する。図１２および図１３に示すように、第５の実施の形態に係る無線基地局のアンテナ装置１３０は、第１の実施の形態の第１の反射板１４の代わりに、第１の反射板１３４を備える。第１の実施の形態と共通する構成要素を示すために、図１２および図１３では同じ参照符号が用いられており、これらについては詳細には説明しない。第１の反射板１３４は、第１の実施の形態の第１の反射板１４と同様の用途に使用される。第１の反射板１３４は、良好な電波の反射特性を有する材料から形成されている。第１の反射板１３４は矩形の平板である。このような第１の反射板１３４は、第２の実施の形態および第３の実施の形態で使用してもよい。
【００５０】
第６の実施の形態
第６の実施の形態は、第１の反射板の変形に関する。図１４および図１５に示すように、第６の実施の形態に係る無線基地局のアンテナ装置１４０は、第１の実施の形態の第１の反射板１４の代わりに、第１の反射板１４４を備える。第１の実施の形態と共通する構成要素を示すために、図１４および図１５では同じ参照符号が用いられており、これらについては詳細には説明しない。第１の反射板１４４は、第１の実施の形態の第１の反射板１４と同様の用途に使用される。第１の反射板１４４は、良好な電波の反射特性を有する材料から形成されている。第１の反射板１４４は矩形の湾曲板であって、そのアンテナ素子１６側の面が凹状である。このような第１の反射板１４４は、第２の実施の形態および第３の実施の形態で使用してもよい。
【００５１】
他の変形
上記の第１の反射板および第２の反射板の少なくともいずれかは、特開2009-153095号公報に開示されているメタマテリアルによって形成してもよい。
【符号の説明】
【００５２】
１０，１００，１１０，１２０，１３０，１４０  アンテナ装置
１２  レドーム
１６  アンテナ素子
１４，１２４，１３４，１４４  第１の反射板
１８，１９，１１８  第２の反射板
【図１】
2014007537.tif 000003
【図２】
2014007537.tif 000004
【図３】
2014007537.tif 000005
【図４】
2014007537.tif 000006
【図５】
2014007537.tif 000007
【図６】
2014007537.tif 000008
【図７】
2014007537.tif 000009
【図８】
2014007537.tif 000010
【図９】
2014007537.tif 000011
【図１０】
2014007537.tif 000012
【図１１】
2014007537.tif 000013
【図１２】
2014007537.tif 000014
【図１３】
2014007537.tif 000015
【図１４】
2014007537.tif 000016
【図１５】
2014007537.tif 000017